【手続補正書】
【提出日】平成20年6月4日(2008.6.4)
【手続補正１】
【補正対象書類名】明細書
【補正対象項目名】特許請求の範囲
【補正方法】変更
【補正の内容】
【特許請求の範囲】
【請求項１】  マルチチップパッケージに用いられる半導体集積回路において、
内部入出力端子および内部出力端子の全てまたは一部のドライブ能力を可変設定可能にしたことを特徴とする半導体集積回路。
【請求項２】  前記マルチチップパッケージは複数のチップを含み、
前記複数のチップのドライブ能力を可変設定可能にした前記内部入出力端子は相互に接続されることを特徴とする請求項１記載の半導体集積回路。
【請求項３】  当該半導体集積回路のマルチチップパッケージへのパッケージング後には、前記内部入出力端子および内部出力端子の全てまたは一部のドライブ能力を弱く設定することを特徴とする請求項２記載の半導体集積回路。
【請求項４】  当該半導体集積回路のマルチチップパッケージへのパッケージング前の単体ウエハテスト時には、前記内部入出力端子および内部出力端子の全てまたは一部のドライブ能力を強く設定することを特徴とする請求項２記載の半導体集積回路。
【請求項５】  当該半導体集積回路は、制御信号の入力により、前記内部入出力端子および内部出力端子の全てまたは一部のドライブ能力を可変設定可能にするドライブ能力制御パッドを備えたことを特徴とする請求項２記載の半導体集積回路。
【請求項６】  請求項５記載の半導体集積回路のドライブ能力制御パッドに接続され、入力される制御信号をそのドライブ能力制御パッドに伝送する外部端子を備えたことを特徴とするマルチチップパッケージ。
【請求項７】  前記内部入出力端子および内部出力端子の全てまたは一部のドライブ能力の可変設定は、外部から入力されるテスト信号に応じて生成した制御信号を用いることを特徴とする請求項２記載の半導体集積回路。
【請求項８】  前記内部入出力端子および内部出力端子の全てまたは一部は、通常使用ドライバと、能力調整用ドライバと、制御信号に応じて前記能力調整用ドライバを動作させるセレクタ構成部とを備えたことを特徴とする請求項２記載の半導体集積回路。
【請求項９】  前記内部入出力端子および内部出力端子の全てまたは一部は、通常使用ドライバと、能力調整用ドライバと、制御信号に応じて前記能力調整用ドライバを動作させるパスゲート構成部とを備えたことを特徴とする請求項２記載の半導体集積回路。
【請求項１０】  前記内部入出力端子および内部出力端子の全てまたは一部は、通常使用ドライバと、能力調整用ドライバと、制御信号に応じて前記能力調整用ドライバを動作させるクロックドゲート構成部とを備えたことを特徴とする請求項２記載の半導体集積回路。
【請求項１１】  セレクタ構成部は、単体ウエハテスト時以外では、制御信号に応じて能力調整用ドライバをオフトランジスタにすることを特徴とする請求項８記載の半導体集積回路。
【請求項１２】  パスゲート構成部は、単体ウエハテスト時以外では、制御信号に応じて能力調整用ドライバをオフトランジスタにすることを特徴とする請求項９記載の半導体集積回路。
【請求項１３】  クロックドゲート構成部は、単体ウエハテスト時以外では、制御信号に応じて能力調整用ドライバをオフトランジスタにすることを特徴とする請求項１０記載の半導体集積回路。
【手続補正２】
【補正対象書類名】明細書
【補正対象項目名】０００６
【補正方法】変更
【補正の内容】
【０００６】
【課題を解決するための手段】
この発明に係る半導体集積回路は、内部入出力端子および内部出力端子の全てまたは一部のドライブ能力を可変設定可能にしたものである。
この発明に係る半導体集積回路は、マルチチップパッケージは複数のチップを含み、複数のチップのドライブ能力を可変設定可能にした内部入出力端子は相互に接続されるものである。
【手続補正３】
【補正対象書類名】明細書
【補正対象項目名】０００７
【補正方法】変更
【補正の内容】
【０００７】
この発明に係る半導体集積回路は、マルチチップパッケージへのパッケージング後には、内部入出力端子および内部出力端子の全てまたは一部のドライブ能力を弱く設定するようにしたものである。
【手続補正４】
【補正対象書類名】明細書
【補正対象項目名】０００８
【補正方法】変更
【補正の内容】
【０００８】
この発明に係る半導体集積回路は、マルチチップパッケージへのパッケージング前の単体ウエハテスト時には、内部入出力端子および内部出力端子の全てまたは一部のドライブ能力を強く設定するようにしたものである。
【手続補正５】
【補正対象書類名】明細書
【補正対象項目名】０００９
【補正方法】変更
【補正の内容】
【０００９】
この発明に係る半導体集積回路は、制御信号の入力により、内部入出力端子および内部出力端子の全てまたは一部のドライブ能力を可変設定可能にするドライブ能力制御パッドを備えたものである。
【手続補正６】
【補正対象書類名】明細書
【補正対象項目名】００１１
【補正方法】変更
【補正の内容】
【００１１】
この発明に係る半導体集積回路は、内部入出力端子および内部出力端子の全てまたは一部のドライブ能力の可変設定を、外部から入力されるテスト信号に応じて生成した制御信号を用いるようにしたものである。
【手続補正７】
【補正対象書類名】明細書
【補正対象項目名】００１２
【補正方法】変更
【補正の内容】
【００１２】
この発明に係る半導体集積回路は、内部入出力端子および内部出力端子の全てまたは一部において、通常使用ドライバと、能力調整用ドライバと、制御信号に応じて能力調整用ドライバを動作させるセレクタ構成部とを備えたものである。
【手続補正８】
【補正対象書類名】明細書
【補正対象項目名】００１３
【補正方法】変更
【補正の内容】
【００１３】
この発明に係る半導体集積回路は、内部入出力端子および内部出力端子の全てまたは一部において、通常使用ドライバと、能力調整用ドライバと、制御信号に応じて能力調整用ドライバを動作させるパスゲート構成部とを備えたものである。
【手続補正９】
【補正対象書類名】明細書
【補正対象項目名】００１４
【補正方法】変更
【補正の内容】
【００１４】
この発明に係る半導体集積回路は、内部入出力端子および内部出力端子の全てまたは一部において、通常使用ドライバと、能力調整用ドライバと、制御信号に応じて能力調整用ドライバを動作させるクロックドゲート構成部とを備えたものである。
【手続補正１０】
【補正対象書類名】明細書
【補正対象項目名】００３８
【補正方法】変更
【補正の内容】
【００３８】
【発明の効果】
以上のように、この発明によれば、内部入出力端子および内部出力端子の全てまたは一部のドライブ能力を可変設定可能にするように構成したので、パッケージング後のドライブ能力を最適化してノイズ発生を抑えたり、消費電力を抑えたりすることができる効果がある。
【手続補正１１】
【補正対象書類名】明細書
【補正対象項目名】００３９
【補正方法】変更
【補正の内容】
【００３９】
この発明によれば、半導体集積回路のマルチチップパッケージへのパッケージング後には、内部入出力端子および内部出力端子の全てまたは一部のドライブ能力を弱く設定するように構成したので、パッケージング後のドライブ能力を弱くしてノイズ発生を抑えたり、消費電力を抑えたりすることができる効果がある。
【手続補正１２】
【補正対象書類名】明細書
【補正対象項目名】００４０
【補正方法】変更
【補正の内容】
【００４０】
この発明によれば、半導体集積回路のマルチチップパッケージへのパッケージング前の単体ウエハテスト時には、内部入出力端子および内部出力端子の全てまたは一部のドライブ能力を強く設定するように構成したので、パッケージング前の単体ウエハテスト時のドライブ能力を強くして、テスタと内部入出力端子および内部出力端子との間に付く大きな負荷を十分に駆動することができ、安定したテストをすることができる効果がある。
【手続補正１３】
【補正対象書類名】明細書
【補正対象項目名】００４１
【補正方法】変更
【補正の内容】
【００４１】
この発明によれば、半導体集積回路において、制御信号の入力により、内部入出力端子および内部出力端子の全てまたは一部のドライブ能力を可変設定可能にするドライブ能力制御パッドを備えるように構成したので、ドライブ能力制御パッドに制御信号を入力することで、ドライブ能力を容易に可変設定することができる効果がある。
【手続補正１４】
【補正対象書類名】明細書
【補正対象項目名】００４３
【補正方法】変更
【補正の内容】
【００４３】
この発明によれば、内部入出力端子および内部出力端子の全てまたは一部のドライブ能力の可変設定を、外部から入力されるテスト信号に応じて生成した制御信号を用いるように構成したので、ドライブ能力を可変設定するための専用のドライブ能力制御パッドや外部端子を備えていなくても、容易にドライブ能力を最適化することができる効果がある。
【手続補正１５】
【補正対象書類名】明細書
【補正対象項目名】００４４
【補正方法】変更
【補正の内容】
【００４４】
この発明によれば、内部入出力端子および内部出力端子の全てまたは一部において、通常使用ドライバと、能力調整用ドライバと、制御信号に応じて能力調整用ドライバを動作させるセレクタ構成部とを備えるように構成したので、セレクタ構成部により、制御信号に応じて能力調整用ドライバを動作させ、ドライブ能力を可変設定することができる効果がある。
【手続補正１６】
【補正対象書類名】明細書
【補正対象項目名】００４５
【補正方法】変更
【補正の内容】
【００４５】
この発明によれば、内部入出力端子および内部出力端子の全てまたは一部において、通常使用ドライバと、能力調整用ドライバと、制御信号に応じて能力調整用ドライバを動作させるパスゲート構成部とを備えるように構成したので、パスゲート構成部により、制御信号に応じて能力調整用ドライバを動作させ、ドライブ能力を可変設定することができる効果がある。
【手続補正１７】
【補正対象書類名】明細書
【補正対象項目名】００４６
【補正方法】変更
【補正の内容】
【００４６】
この発明によれば、内部入出力端子および内部出力端子の全てまたは一部において、通常使用ドライバと、能力調整用ドライバと、制御信号に応じて能力調整用ドライバを動作させるクロックドゲート構成部とを備えるように構成したので、クロックドゲート構成部により、制御信号に応じて能力調整用ドライバを動作させ、ドライブ能力を可変設定することができる効果がある。